(57)【要約】【課題】  従来の連続紙印刷装置においては、画像データを感光体表面に静電潜像を形成させる水平方向のタイミングを印刷装置側で生成し用紙搬送開始のタイミングを上位装置側で行っているので、両者のタイミングのズレ（印字書き出し開始位置）が発生すること、及び前記ズレを補うことによる上位装置側の回路負担が増加するという課題がある。【解決手段】  印刷装置が用紙搬送を開始及び継続する要求信号を前記上位装置へ送信中に該上位制置からの応答信号の状態によって用紙搬送動作を開始及び継続するか、又は停止動作へ移行するかを判断し、且つ要求信号の送信時間を前記制御手段にて生成される垂直同期信号の周期の整数倍とした。【選択図】図１
2005035764.tif 000002
【特許請求の範囲】
【請求項１】
一定間隔毎に折り畳み用ミシン目を付けた連続用紙を搬送するトラクタと、感光体上に静電潜像を形成させる露光装置と、用紙搬送及び前記露光装置を制御する制御手段とを有する印刷装置と、前記制御手段に用紙搬送指示及び画像デ−タを送信する上位装置との用紙搬送制御を行なう連続紙印刷装置において、前記印刷装置が用紙搬送を開始及び継続する要求信号を前記上位装置へ送信中に該上位制置からの応答信号の状態によって用紙搬送動作を開始及び継続するか、又は停止動作へ移行するかを判断し、且つ要求信号の送信時間を前記制御手段にて生成される垂直同期信号の周期の整数倍としたことを特徴とする連続紙印刷装置。
【発明の詳細な説明】
【技術分野】
【０００１】
本発明は、連続紙などの長尺に連続した用紙に電子写真プロセスを用いてトナー像を記録形成するレ−ザビ−ムプリンタ等の連続紙印刷装置に関するものである。
【背景技術】
【０００２】
従来の連続紙にトナ−像を記録形成する電子写真式レ−ザプリンタ印刷装置の概略構成を図５に示し、その連続印刷動作を説明する。用紙１は長尺状に連続し且つ折り畳みミシン目付き用紙であり、両縁部には用紙搬送方向に沿って一定間隔で図示しない送り穴が形成されている。又トラクタ８にもピン１６が複数設けられており、用紙の送り穴とピン１６の間隔は一致している。ホッパ１５に用紙１を置き、トラクタ８のピン１６と用紙１の両端部の送り穴が合うようにトラクタ８に用紙１を装着させる。用紙送りスイッチ１４を押下することにより装着した用紙１をスタッカ１３までトラクタ８が所定量搬送させる自動装填動作を行い、終了後に印刷待機状態となる。制御部１７は主として用紙搬送制御と光学制御から構成され、上位装置からの受信情報は主に用紙搬送指示と画像信号であり、制御部１７が受信する。画像信号を受信すると露光装置７から発光される１ビ−ムのレ−ザ放射のオン又はオフ信号（露光信号２３）に制御部１７で変換後、順次レ−ザ放射し用紙１の搬送方向に対して垂直である水平方向に感光ドラム４の面上を走査する。上位装置から印刷開始情報が送信されると用紙搬送方向に回転している感光ドラム４は、帯電器６により所定電位に均一に帯電され、露光装置７からレ−ザ放射を受けた感光ドラム４には静電潜像が形成され、現像機２にて負に帯電した黒トナーが反転現像される。現像領域に達した静電潜像にはトナーが供給され、静電潜像はトナー像として可視化される。
【０００３】
感光ドラム４の表面に形成されたトナー像は転写器３と対向する位置に運ばれる。トラクタ８によって搬送される用紙１は、リトラクタ５により感光ドラム４へ押し付けられ転写器３の前に運ばれたトナー像は、転写器３により転写領域にて用紙１に転写される。印刷動作中は、加熱ロ−ル１０と加圧ロ−ル９が閉じた圧接状態であり、用紙１は加熱ロ−ル１０と加圧ロ−ル９が圧接した加圧点より加熱加圧作用を受けながら挟持搬送され、用紙１に転写されたトナ−像は用紙１に定着される。定着された用紙１は、ミシン目折り畳み方向に揺動動作を行うスイングフィン１１を通過し、スタッカ１３内へ順次排出されスタッカ内でミシン目４４で折り畳まれながら積み重なるよう用紙１は収納される。
【０００４】
上位装置から印刷停止指示を制御部１７が受信した場合、印刷終了動作へ移行し加熱ロール９と加圧ロール１０を開放状態とした後、用紙搬送方向とは反対方向にトラクタ８に所定量の用紙搬送をさせ印刷待機状態となる。又トナ−像を記録形成するプロセス（静電潜像の形成及びトナ−像の可視化等）は伴わないが、用紙搬送動作及びトナ−像を定着させる動作（以下ＮＰＲＯ動作と略す）も上位装置からの指示により可能である。
【０００５】
次に、図４，５を用いて上位装置と用紙搬送制御方法の概略について説明する。垂直同期信号（以下ＤＶＳ信号という。）２４は一定周期の繰り返し信号であり、周期は感光ドラム４が定速回転した該感光ドラム４の円周上の点が１／６インチ回転する時間に等しく垂直同期信号生成回路部１９で生成されており、本装置の用紙搬送制御の基準信号とし電源投入中は上位装置へ送信継続している。用紙１に設けられている折り畳みミシン目間隔は１／６インチの整数倍であり、用紙長単位となっている。上位装置から送信される用紙搬送指示信号（以下ＣＰＦ１という。）２５は、用紙長１１インチを１ペ−ジとした連続印刷の場合を例とすると、上位装置は本装置から送信されるＤＶＳ信号２４が“１”のタイミングでＣＰＦ１信号２５を“１”とする。ＣＰＦ１信号２５“１”を受信後用紙搬送動作が開始する。ＣＰＦ１信号２５は、ＤＶＳ信号２４を１１インチ長分６６周期（１１インチ÷１／６インチ）から１周期減算した６５周期を数えた後ＣＰＦ１信号を“０”（無効）とし、ＤＶＳ信号２４を６６周期数えた後用紙搬送を継続する場合は次のＤＶＳ信号２４が”１”となるタイミングでＣＰＦ１信号２５を”１”（有効）とし、以後繰り返す。又”０”の状態が継続されると印刷停止動作へ移行する。
【０００６】
上位装置の画像デ−タの送信タイミングは、露光装置７から送信される繰り返し周期を持つ水平同期１信号を制御部１７で波形整形した水平同期２信号２６を基準とし、所定量のタイミングをカウントし１ライン分の画像１信号を直列状態で送信し印刷装置側で露光信号２３に変換後レーザ放射する。なお、上位装置によっては転送周波数を低くするために画像デ−タを数ビットの並列状態とした転送方式が採用されている（例えば、特許文献１参照。）。
【０００７】
従来、印刷装置側としては一時的に記録するラインメモリを搭載し、水平同期信号を基準とし且つ解像度の１ドットの周波数で直列状態に変換後露光させ、感光ドラム４に静電潜像を形成する。図３にブロック図を示す。印刷装置側から水平同期信号を基準としたタイミングで画像送信要求信号３４を送信後上位装置から１ライン分の画像２信号が送信される。ラインメモリは２段構成となっており、一段目のラインメモリ１は画像信号２（パラレルライン）３５に接続され上位装置から送信される１ライン分の画像信号を一時的に記憶する。一段目のラインメモリ４０に記憶された１ライン分の画像信号は直ちに二段目のラインメモリ４１に書き込まれる。二段目のラインメモリ４１に書き込まれた画像信号は、メモリ２コントローラ３８により、水平同期１信号２２を基準にドットクロック回路３９より出力されるドットクロック信号を一定数カウント後、パラレル−シリアル変換回路４２に出力し、露光信号２３に変換後レ−ザ放射される。
【０００８】
【特許文献１】特開平０５−１３１７２４号公報
【発明の開示】
【発明が解決しようとする課題】
【０００９】
上記従来の連続紙印刷装置においては、画像データを感光体表面に静電潜像を形成させる水平方向のタイミングを印刷装置側で生成し用紙搬送開始のタイミングを上位装置側で行っているので、両者のタイミングのズレ（印字書き出し開始位置）が発生すること、及び前記ズレを補うことによる上位装置側の回路負担が増加するという課題がある。
【課題を解決するための手段】
【００１０】
上記課題は、印刷装置が用紙搬送を開始及び継続する要求信号を前記上位装置へ送信中に該上位制置からの応答信号の状態によって用紙搬送動作を開始及び継続するか、又は停止動作へ移行するかを判断し、且つ要求信号の送信時間を制御手段にて生成される垂直同期信号の周期の整数倍とすることによって解決される。
【発明の効果】
【００１１】
本発明によれば、上位装置から印刷開始指示の情報の中に用紙情報を含めることにより、印刷装置内で用紙搬送開始タイミングと用紙長１ペ−ジの用紙搬送を達成できる。次ペ−ジの用紙搬送の要求信号に対して上位装置から応答信号の状態により継続動作又は停止動作へ移行する判断を印刷装置で行うことができ、又トナ−像を記録形成するプロセスを伴わない用紙搬送動作及びトナ−像を定着させる動作時の用紙搬送も同様な方式としたので、上位装置側にて用紙搬送指示の信号生成処理の負荷を掛けることなく用紙搬送を行うことが出来る。
【発明を実施するための最良の形態】
【００１２】
以下、本発明の実施例を図面を用いて説明する。
【実施例１】
【００１３】
図１は本発明の一例である上位装置との用紙搬送制御方式のタイムチャ−トを示す。１は有効（信号有り）、０は無効を示す。用紙搬送方向と同方向の場合は正の極性、逆方向は負の極性とする。上位装置から印刷開始指示の情報の中に用紙長情報２８を含めて送信される。制御部１１にはクロック及び演算処理機能を有したＣＰＵ２１を搭載している。用紙長情報が１１（ｉｎｃｈ）を例とするとＤＶＳ信号数は１１（ｉｎｃｈ）÷１／６（ｉｎｃｈ）＝６６となり、この演算をＣＰＵ２１が処理する。上位装置から印刷開始指示を制御部１１が受信後、本装置は印刷動作を開始するための準備をし、制御部１１内の用紙搬送制御回路部１８から１回目の用紙搬送要求信号（以下ＤＰＦ信号と略す）を送信する。ＤＰＦ信号２９送信中に上位装置からＣＰＦ２信号３０が“１”となったことを搬送制御回路部２５が受信すると、ＤＶＳ信号との同期を成した用紙搬送シ−ケンスが開始され、ＣＰＵ２１は演算結果６６から１を減算した６５のデ−タをカウンタ回路部３２に書き込ませる。ＤＶＳ信号との同期を成した従来の用紙搬送シ−ケンスが開始され印刷動作が開始される。ＤＶＳ信号を６５カウント終了時にＤＶＳ信号１周期期間中ＤＰＦ信号生成回路部３１より２回目のＤＰＦ信号２９を送信する。ＤＰＦ信号送信中に上位装置からＣＰＦ２信号２９が“１”となったことをＣＰＦ受信回路部３３が受信した場合、再度カウンタ回路部３２がＤＶＳ信号を６５カウント開始し印刷動作を継続する。ＤＰＦ信号２９の送信に対してＣＰＦ２信号を受信することが繰り返されている場合は連続用紙搬送動作をし、ＣＰＦ２信号が“０”であることを受信した場合、停止シ−ケンスへと移行する。ＮＰＲＯ動作も上位装置との用紙搬送方式は同様である。又上位装置への画像送信要求信号は１回目のＤＰＦ信号２９送信後のＣＰＦ２信号３０を受信後、ＤＶＳ信号を基準とした所定時間経過後のタイミングで送信する。上位装置から送信される画像２信号（パラレルライン）４０は８ビットのデ−タ幅を持ち、従来例で記載したように１段目のラインメモリ４０に記録させたあと、２段目のラインメモリ４１に書き込ませ、メモリコン２コントローラ３８により水平同期２信号２６を基準にドットクロック回路部３９より出力されるドットクロック信号を一定数カウント後パラレル−シリアル変換回路４２に出力し、露光信号２３に変換後レ−ザ放射され感光ドラム上に静電潜像を形成する。本装置では水平方向及び垂直方向の同期タイミングをしながら用紙搬送及び静電潜像を形成し印刷動作を行うことができる。
【図面の簡単な説明】
【００１４】
【図１】本発明の実施例における用紙搬送制御のタイムチャ−トである。
【図２】本発明の連続紙印装置の制御構成を示すブロック図である。
【図３】従来のパラレルラインの光学制御構成を示すブロック図である。
【図４】従来の用紙搬送制御と画像信号の相関を示す図である。
【図５】従来の用紙搬送制御のタイムチャ−トである。
【図６】従来の電子写真装置の概略構成図である。
【符号の説明】
【００１５】
１は用紙、２は現像機、３は転写器、４は感光ドラム、５はリトラクタ、６は帯電器、７は露光装置、８はトラクタ、９は加圧ロ−ル、１０は加熱ロ−ル、１１はスウィングフィン、１２はパドル、１３はスタッカ、１４は用紙送りスイッチ、１５はホッパ、１６はピン、１７は制御部、１８は搬送制御回路部、１９はＤＶＳ信号生成回路部、２０は光学制御回路部、２１はＣＰＵ、２２は水平同期１信号、２３は露光信号、２４はＤＶＳ信号、２５はＣＰＦ１信号、２６は水平同期２信号、２７は画像１信号、２８は用紙情報、２９はＤＰＦ信号、３０はＣＰＦ２信号、３１はＤＰＦ生成回路回路部、３２はカウンタ回路部、３３はＣＰＦ２受信回路部３４、は画像要求信号、３５は画像２信号、３６はメモリ１コントローラ部、３７は逓倍回路部、３８はメモリ２コントローラ部、３９はドットクロック回路部、４０はラインメモリ１、４１はラインメモリ２、４２はパラレル−シリアル変換回路部、４３は印刷画像、４４はミシン目である。
【図１】
2005035764.tif 000003
【図２】
2005035764.tif 000004
【図３】
2005035764.tif 000005
【図４】
2005035764.tif 000006
【図５】
2005035764.tif 000007
【図６】
2005035764.tif 000008